(57)【要約】【課題】  現行の冷却構造を保持しつつ、排気温度の低減を可能とするプロジェクタ装置を提供すること。【解決手段】  本発明のプロジェクタ装置は、ケーシング（１）内部に光源（４）と、該光源（４）から得られた光より映像を形成する光学系および電源装置（９）を備え、ケーシング（１）の側面に該ケーシング（１）内部を冷却するための排気装置（６）を取り付けている。前記ケーシング壁面には、排気装置（６）に対する位置に吸気構造（１６、１７、１８、１２６）が設けられ、前記排気装置（６）は、該排気装置が排出する気体の温度を低下させるため、前記吸気構造を通じ外気の吸い込みを行う。【選択図】        図２９
2008052272.tif 000002
【特許請求の範囲】
【請求項１】
ケーシングの内部に光源と、該光源からの光を受けて映像光を形成する光学系とを配備し、前記ケーシングの壁面にはケーシングの内部を冷却するための排気装置が取り付けられているプロジェクタ装置において、
前記ケーシングの壁面には排気装置に対する位置に吸気構造が設けられ、前記排気装置は自ら排出する気体の温度を低下させるため、前記吸気構造を通じ外気の吸い込みを行うことを特徴とするプロジェクタ装置。
【請求項２】
前記ケーシングは下半ケースを有し、前記吸気構造には、前記下半ケースの底壁に開けられた吸気孔が含まれていることを特徴とする請求項１記載のプロジェクタ装置。
【請求項３】
前記ケーシングはランプユニットカバーを有し、前記吸気構造には、前記ランプユニットカバーに開けられた吸気孔が含まれていることを特徴とする請求項１または請求項２記載のプロジェクタ装置。
【請求項４】
前記ランプユニットカバーの吸気孔は、該ランプユニットカバーの側部斜面に開設されていることを特徴とする請求項３記載のプロジェクタ装置。
【請求項５】
前記吸気孔の開口面積によって、排気温度の調節を行うことができる請求項４記載のプロジェクタ装置。
【請求項６】
前記排気装置は、前記ケーシングの壁面に沿って配列した第１排気ファンおよび第２排気ファンとを備え、前記吸気孔は、前記第１排気ファンおよび／または第２排気ファンに対応する位置に設置され、前記吸気孔を通じて吸い込みを行うことを特徴とする請求項５記載のプロジェクタ装置。
【請求項７】
前記第１排気ファンは、その吸気方向が前記光源に向けられる形式で設置され、且つ第２排気ファンは、その吸気方向が前記光源から離れたエリアへ向けられる形式で設置され、両排気ファンの排気方向は互いに交叉していることを特徴とする請求項６記載のプロジェクタ装置。
【請求項８】
前記下半ケースの底壁の吸気孔は、該下半ケースの底壁に前記第１排気ファンとちょうど向かい合うように設置され、前記ランプユニットカバーの吸気孔と前記下半ケースの底壁の吸気孔は、相対するように設置されていることを特徴とする請求項７記載のプロジェクタ装置。
【発明の詳細な説明】
【技術分野】
【０００１】
本発明は光源からの光を光学系へと導いて映像光を形成し、前方のスクリーンへ拡大投射するプロジェクタ装置に関する。
【背景技術】
【０００２】
従来、このタイプのプロジェクタ装置は、特許文献１に示すごとく、ケーシングの内部に光源となるランプと、偏光ビームスプリッタと、偏光板と、液晶パネルおよび投射レンズ等より構成される光学系とを配備して成る。ケーシングには壁面に沿って排気装置が配され、該排気装置を利用しケーシング内部の空気を流動させることにより、ケーシング内部の温度上昇を防止している。
【特許文献１】特開平8−275096号公報
【発明の開示】
【発明が解決しようとする課題】
【０００３】
しかしながら、従来のプロジェクタ装置における排気装置は、通常、その吸気方向が発熱量の大きなランプへ向けられて設置されているため、前記排気装置から排出される空気の温度は高温となり、その排出された空気に触れたユーザーに不快感をもたらしていた。よって排気温度を低下させるため、高速で排気ファンを回転させる必要が生じたが、その結果、排気装置から発生する騒音が増大するという問題が見られた。
【０００４】
また、プロジェクタ装置の小型化については、コスト競争が熾烈な小型プロジェクタ機は市場が要求する多様化に応じるため、通常は新モデルを市場に投入後、短期間内に多種の派生モデルが開拓される。とりわけ照度を高めた派生モデルについては、設計者はコストの制御と開発サイクルの短縮に役立つように、出来る限りベースモデルの部品と通用できるような設計を求められ、さらにモデルの照度が高まるにつれ、現行の冷却システムを保持しながら局部的な設計改良を行い、照度が高められたモデルの冷却効果をも満たすような設計が要求された。
【０００５】
上記を鑑み、本発明の目的は、現行の冷却構造を保持しつつ、排気温度を低下することができるプロジェクタ装置を提供することにある。
【課題を解決するための手段】
【０００６】
本発明のプロジェクタ装置は、ケーシングの内部に光源と、該光源からの光を受けて映像光を形成する光学系とを配備し、前記ケーシングの壁面にはケーシングの内部を冷却するための排気装置が取り付けられている。
【０００７】
前記ケーシングの壁面には排気装置に対する位置に吸気構造が設けられ、該排気装置は自ら排出する気体の温度を低下させるため、前記吸気構造を通じ外気の吸い込みを行う。
具体的に述べると、前記吸気構造は前記ケーシングの下半ケースの底壁に開けられた吸気孔と、前記ケーシングのランプユニットカバーに開けられた吸気孔とを含み、前記排気装置は前記ケーシングの壁面に沿って配列した第１排気ファンと第２排気ファンを備える。前記下半ケースの底壁の吸気孔は、該下半ケース底壁に前記第１排気ファンとちょうど向かい合うように設置され、前記ランプユニットカバーの吸気孔と前記下半ケース底壁の吸気孔は相対するように設置されている。
【０００８】
プロジェクタ装置の作動期間において、装置全体外部の冷気はランプユニットカバーのランプユニットカバー吸気孔を経て装置全体内へと吸い込まれ、さらに下半ケースの下半ケース吸気孔を通じ、第１排気ファンによってその側部開口部より吸い込まれる。吸い込まれた外部冷気とランプユニットから吸い込まれた高温の気体は第１排気ファンによって混合された後、排出される。排出された気体は第２排気ファンから排出された気体とさらに混ぜ合わされ、装置全体より排出される。このとき、第１排気ファンに取り込まれた外部の冷気が増加したことにより、第１排気ファンから吸い込まれた気体と第２排気ファンから吸い込まれた気体とが混合した後、排気孔から排出されるが、その結果、従来のプロジェクタ装置と比べ排気温度が低下することになった。
【０００９】
具体的に述べると、前記ランプユニットカバーの吸気孔は前記ランプユニットカバーに対応する側部斜面に開設されており、このように吸気孔を側部斜面上に設置する吸気孔構造を用いることで、軟らかい布が敷かれた台の上でプロジェクタ装置を使用する際、底部に面した吸気孔が塞がれてしまうという問題を回避することができる。
【００１０】
具体的に述べると、前記吸気孔の開口面積によって排出する気体の温度を調節することができ、吸気孔の数量もしくは開口面積の変更をすることにより、排出する気体の温度を調節することも可能である。
【００１１】
具体的に述べると、上述した下半ケースの吸気孔は前記第１排気ファンおよび／または第２排気ファンに対応する位置に設置され、前記吸気孔を通じて吸い込みを行う。
このとき、状況に応じて第１および／または第２排気ファンに対応するように吸気孔を設置することができるが、ここで説明を要するのは、排気ファンの側部には前記効能を実現するための側部吸気口を備える必要があるという点である。
【００１２】
具体的に述べると、第１排気ファンはその吸気方向が前記光源に向けられる形式で設置され、また第２排気ファンはその吸気方向が前記光源から離れたエリアへ向けられる形式で配置されており、両排気ファンの排気方向は互いに交叉している。
このとき、第１排気ファンの排気方向と第２排気ファンの排気方向の交叉角度は４０度〜６０度の範囲に設定されており、両排気ファンの排気方向が互いに交叉しているため、前記第１排気ファンから取り込まれた空気と第２排気ファンから取り込まれた空気とが混合されて排出されることになり、この結果、従来のプロジェクタ装置に比べ排気温度が低下する。
【発明の効果】
【００１３】
本発明のプロジェクタ装置によれば、現行の冷却システム中に排気ファン側部の吸気孔構造を増加させることにより、排気ファンの吸気中における冷気・熱気の比率を変更し、最終的な排気温度の低下を実現させ、設計的要求を満たすことができるようになる。
【発明を実施するための最良の形態】
【００１４】
本発明の液晶プロジェクタ装置における実施の形態について、以下に図面に沿って具体的に説明する。
以下の説明において、図１に示す液晶プロジェクタ装置の映像投射方向を前方とし、該液晶プロジェクタ装置の前面に向かって左右を規定する。
【００１５】
全体構成
図１に示すように、本発明の液晶プロジェクタ装置は、下半ケース１２および上半ケース１１からなる扁平なケーシング１を備える。該ケーシング１の表面には複数の操作ボタンを含む操作部１５が配備され、ケーシング１の前面には投射窓１３が開設されている。このほか、ケーシング１の右側壁には該ケーシング１内の空気を外部に排出するための排気孔１４が設けられている。
【００１６】
図２および図３に示すように、前記ケーシング１の内部には略L字状に延伸する合成樹脂製の光学系保持ケース７が配備されており、該光学系保持ケース７の内部には光源となるランプユニット４と、該ランプユニット４から発せられた白色光を三原色の光に分離する光学系２（図５を参照）と、該三原色の光を三原色用の液晶パネルに照射して三原色の映像光を形成し、形成した三原色の映像光をカラー映像光に合成する映像合成装置３とが配備されている。ランプユニット４は光学系保持ケース７の右端部に、さらに映像合成装置３は光学系保持ケース７の前方端部にそれぞれ収容され、光学系２はランプユニット４から映像合成装置３へと至る光学系保持ケース７内の光路上に配備されている。
【００１７】
また、光学系保持ケース７の前方端縁には投射レンズ３９を保持する筒体３９aの基端部が連結され、さらにケーシング１の内部には光学系保持ケース７の前方側に電源装置９が設置されている。
【００１８】
図２に示すように、下半ケース１２の右側壁には第１排気ファン６１と第２排気ファン６２を含む排気装置６が取り付けられている。第１排気ファン６１は、その吸気方向がランプユニット４へと向けられ、第２排気ファン６２は、その吸気方向が電源装置９へと向けられる形式で設置されている。
【００１９】
図４に示すように、映像合成装置３の下方位置には該映像合成装置３を冷却するための冷却ユニット５が配備されている。該冷却ユニット５は第１排気ファン５２および第２ファン５３とを備えており、下半ケース１２の底壁には前記第１排気ファン５２および第２ファン５３を設置するために、底面吸気窓（図示省略）がそれぞれ開設されている。両冷却ファン５２、５３からの空気は冷却ユニット５のハウジング５４内に形成された流路を通じ、映像合成装置３へと吹き付けられる。
【００２０】
本発明における液晶プロジェクタ装置の各部構成について、以下詳細に説明する。
光学系２
図５に示すように、ランプユニット４からの白色光は第１インテグレータレンズ２１と、前段スリット板２３と、第２インテグレータレンズ２２と、後段スリット板２４と、偏光ビームスプリッタ２５およびフィールドレンズ２０を経て、第１ダイクロイックミラー２６へと導かれる。
【００２１】
第１インテグレータレンズ２１および第２インテグレータレンズ２２は耐熱ガラス製のフライアイレンズより構成され、ランプユニット４から発せられた白色光の照度分布を均一化する機能を有する。前段スリット板２３および後段スリット板２４はアルミニウム薄板製であり、偏光ビームスプリッタ２５に対し不要な入射光を遮断する機能を有する。
図６に示すように、偏光ビームスプリッタ２５は偏光板２５aの光出射側の表面にスリット上の１／２波長板２５bを接合し構成されており、偏光板２５aの光入射側の表面には後段スリット板２４が密着し取り付けられている。
【００２２】
偏光板２５aの内部には、該偏光板２５aに入射した光のP波を通過させ、且つS波を反射する第１界面１２５と、該第１界面１２５によって反射されたS波を前方に向けて反射する第２界面１２６とが、前記偏光板２５aの表面に対し４５度の傾斜角度にて交互に形成されている。後段スリット板２４の各スリット２４aは、第１界面１２５への光の入射を許容する位置にそれぞれ開設されており、前記第２界面１２６への光の入射は後段スリット板２４により、阻止される。
【００２３】
第１界面１２５に入射した光のうち、P波は第１界面１２５を通過し、１／２波長板２５bと到達する。前記Ｐ波はさらに１／２波長板２５ｂを通過することにより、その位相が反転し、S波となって出射される。一方、第１界面１２５で反射されたS波は第２界面１２６へと到達し、該第２界面１２６で反射され、１／２波長板２５bの各スリット２５cより出射される。よって、偏光ビームスプリッタ２５からはS波のみが出射されることとなる。
【００２４】
図５に示すように、偏光ビームスプリッタ２５を通過した光は、フィールドレンズ２０を経て第１ダイクロイックミラー２６へ到達する。該第１ダイクロイックミラー２６は光の青色成分のみを反射し、赤色および緑色成分を通過させる機能を有する。第２ダイクロイックミラー２７は光の緑色成分を反射し、赤色成分を通過させる機能を有する。フィールドミラー２８は、光の赤色成分を反射する機能を有している。よって、ランプユニット４から発せられた白色光は、前記第１及び第２クロイックミラー２６、２７により青色光、緑色光および赤色光に分光され、映像合成装置３へと導かれる。
【００２５】
従来の液晶プロジェクタ装置の光学系においては、図２に示した本発明の液晶プロジェクタ装置の光学系２を構成する前段スリット板２３を備えていなかった。
図６は本発明の偏光ビームスプリッタ２５の構成を示す図であるが、従来の液晶プロジェクタ装置の偏光ビームスプリッタ２５においても同様の構成を有しているため、同図を参照し従来の液晶プロジェクタ装置についての説明を行う。
【００２６】
偏光ビームスプリッタ２５の第２界面１２６に光が入射すると、該偏光ビームスプリッタ２５の偏光機能は十分に発揮されなくなる。ゆえに、偏光ビームスプリッタ２５の第１界面２５と後段スリット板２４の各スリット２４aとの相対位置精度を維持するため、後段スリット板２４は偏光ビームスプリッタ２５の光入射側の表面に接触、もしくは該表面に近接する位置に設置される。
【００２７】
このほか、偏光ビームスプリッタ２５は限界温度を超えるとその偏光機能が著しく低下するため、限界温度を超えない範囲内での使用が必要となるが、後段スリット板２４は偏光ビームスプリッタ２５の光入射側の表面に接触、もしくは該表面に近接する位置に設けられているため、ランプユニット４より光の照射を受け、高温状態となった後段スリット板２４から偏光ビームスプリッタ２５へと熱量が伝達され、偏光ビームスプリッタ２５が高温状態になってしまうという問題が引き起こった。
【００２８】
これに対し、本発明の液晶プロジェクタ装置においては、図７に示すように光学系２の光路上、後段スリット板２４からランプユニット４側へ離間した位置に前段スリット板２３が配備され、前段スリット板２３上には、後段スリット板２４の各スリット２４aと光軸方向に沿って互いに重なり合う複数の位置にスリット２３aが複数開設されているため、偏光ビームスプリッタ２５に対する不要な入射光の大部分が、前段スリット板２３によって遮断される。これより、従来と比べ後段スリット板２４が受ける不要な光の量は減少し、この結果、後段スリット板２４が限界温度を超え、高温状態となることを防ぐことができる。
【００２９】
前段スリット板２３はランプユニット４より光の照射を受けて高温状態となるが、前段スリット板２３は偏光ビームスプリッタ２５から離間した位置に設けられているばかりでなく、前段スリット板２３と偏光ビームスプリッタ２４との間に熱伝導率の低い耐熱ガラス製の第２インテグレータレンズ２２が介設されているため、前段スリット板２３から偏光ビームスプリッタ２４へと伝達される熱量は非常に少ないものとなる。
【００３０】
よって、本発明の液晶プロジェクタ装置の光学系２に基づき偏光ビームスプリッタ２５の温度上昇を最小限に抑制することが可能となり、これより偏光ビームスプリッタ２５が限界温度を超え、高温状態となる問題は引き起こされなくなる。
【００３１】
映像合成装置３
図８および図９に示すように、映像合成装置３は立方体状の色合成プリズム３１の三つの側面にそれぞれ、青色用液晶パネル３３b、緑色用液晶パネル３３gおよび赤色用液晶パネル33rを取り付けて構成される。図８に示すように、この映像合成装置３は、光学系保持ケース７の蓋体７aに開設された開口１７２を通じ、前記光学系保持ケース７内に収容されている。
【００３２】
図２、図５に示すように、三枚の液晶パネル３３b、３３g、３３rの光入射側にはそれぞれ、入射偏光板ホルダ３６b、３６g、３６rが取り付けられており、入射偏光板ホルダ３６b、３６g、３６rには、後述する三枚の入射偏光板３２b、３２g、３２rが保持されている。
【００３３】
図５に示した第１ダイクロイックミラー２６およびフィールドミラー２９aにより反射された青色光はフィールドレンズ３５bに導かれ、フィールドレンズ３５b、青色入射偏光板３２b、青色用液晶パネル３３bおよび青色出射偏光板３４bを経由し、色合成プリズム３１へと到達する。
【００３４】
このほか、第２ダイクロイックミラー２７により反射された緑色光はフィールドレンズ３５gに導かれ、フィールドレンズ３５g、緑色入射光板３２g、緑色用液晶パネル３３gおよび緑色出射偏光板３４gを経て、色合成プリズム３１へと到達する。
【００３５】
同様に、二枚のフィールドミラー２８、２９bによって反射された赤色光は映像合成装置３のフィールドレンズ３５rに導かれ、フィールドレンズ３５r、赤色入射偏光板３２r、赤色用液晶パネル３３rおよび赤色出射偏光板３４rを経て、色合成プリズム３１へと到達する。
【００３６】
色合成プリズム３１に導かれた三色の映像光は、色合成プリズム３１によって合成され、これより得られたカラー映像光は投射レンズ３９を経て、前方のスクリーンに拡大投射される。
【００３７】
図１０に示すように、青色入射偏光板３２b、緑色入射偏光板３２gおよび赤色入射偏光板３２rはそれぞれ、サファイアガラス製のガラス基材３２aの表面に合成樹脂製の偏光フィルム３２cを接合し構成されている。各入射偏光板３２b、３２g、３２rは光の照射を受けて発熱するが、偏光フィルム３２cの温度が限界温度を超えるとその偏光機能が著しく低下するため、図８および図９に示す冷却装置５によって外気を吹き付けることにより、各入射偏光板３２b、３２g、３２rの冷却を行う。
【００３８】
しかしながら、従来の液晶プロジェクタ装置において偏光フィルム３２cの温度が限界温度を超えないようにするためには、冷却装置５の冷却ファンを高速で回転させる必要があり、この結果、冷却装置５から発生する騒音が増大するという問題が起こった。
【００３９】
そこで、ガラス基材３２aの面積、即ち放熱面積を拡大することにより各入射偏光板３２b、３２g、３２rの温度の低下を図るため、偏光フィルム３２cの面積を一定とし、ガラス基材３２aの面積が異なる多種多様の緑色入射偏光板３２gを作製した。そして、この多種多様な緑色入射偏光板３２gをそれぞれ液晶プロジェクタ装置に取り付け、使用状態における偏光フィルム３２cの温度を測定する実験を行った。実験時の偏光フィルム３２cの大きさは２０．８ｍｍ×１６．３mm、室温は２７℃とし、実験結果を下記表１および図１１に示す。
【表１】
2008052272.tif 000003
【００４０】
図１１に基づくと、ガラス基材３２aの偏光フィルム３２cに対する面積比を１７８％以上に設定した場合、偏光フィルム３２cの温度は比較的低い温度で安定していることが分かる。一方、前述した面積比を１５０％以下に設定した場合、偏光フィルム３２cの温度上昇が顕著であることが分かる。
【００４１】
さらに、前述の面積比を１５０％〜１７８％に設定した場合、該面積比に対する偏光フィルム３２cの温度変化が不安定となる。これは、偏光フィルム３２cからガラス基材３２aへ伝わった伝熱量とガラス基材３２aから放出された放熱量とが略均衡しているため、前記伝熱量および／または放熱量が何らかの原因によって多少変動すると、両者の大小関係が逆転してしまうためと考えられる。
【００４２】
以上の実験結果について考察すると、前述の面積比を１５０％以下に設定した場合、ガラス基材３２aからの放出された放熱量が偏光フィルム３２cからガラス基材３２aへと伝わった伝熱量よりも小さくなるため、偏光フィルム３２cの温度上昇が顕著に現れると考えられる。
【００４３】
このとき、偏光フィルム３２cの熱量は先ず、偏光フィルム３２cが接合されたガラス基材３２aの中央エリアへ伝達され、該中央エリアより周囲の外周エリアへと徐々に伝達される。しかしながら、ガラス基材３２aは熱伝導率が低いため、たとえ偏光フィルム３２cが発熱したとしても、ガラス基材３２aの中央エリアから一定以上の距離が離れた外周エリアの温度は殆ど上昇することはない。こうして、前記外周エリアからの放熱量は非常に少なくなる。
【００４４】
よって、前述の面積比を１７８％以上に設定した場合、たとえガラス基材３２aの表面積を拡大しても、放熱面積が拡大することはないため、偏光フィルム３２cの温度は略一定となるものと考えられる。
【００４５】
そこで、上述の実験結果に基づき、ガラス基材３２aの偏光フィルム３２cに対する面積比を偏光フィルム３２cの温度が比較的低い温度に安定させ、且つガラス基材３２aの表面積が最小となる１７８％に設定することとした。さらに、青色入射偏光板３２b、緑色入射偏光板３２gおよび赤色入射偏光板３２rの偏光フィルム３２cの大きさを２０．８mm×１６．３mm、ガラス基材３２aの大きさを２７．８mm×２１．８mmと設定した。
【００４６】
こうして、冷却装置５の冷却ファンの回転速度を低減させることでき、それによって冷却装置５から発生する騒音を減少させることが可能となった。
【００４７】
光学系保持ケース７
図５に示す光学系２は、前段スリット板２３と、第２インテグレータレンズ２２と、後段スリット板２４と、偏光ビームスプリッタ２５と、フィールドレンズ２０と、第１及び第２ダイクロイックミラー２６、２７および三枚のフィールドミラー２８、２９a、２９ｂとから構成され、図１２および図１３に示す合成樹脂製の一体成型品から成る光学系保持ケース７内に設置される。光学系保持ケース７の右端部にはランプユニット４が収容され、さらに光学系保持ケース７の前方端部に空間７０が形成されている。該空間７０の内部には上述の映像合成装置３が設置されている。
【００４８】
光学系保持ケース７にはランプユニット４から映像合成装置３へと至るまでの光路に沿う両壁に、図５に示す前段スリット板２３を設置するための第１設置溝７１と、第２インテグレータレンズ２２を設置するための第２設置溝７２と、後段スリット板２４および偏光ビームスプリッタレンズ２５とを重ね合わせた状態で設置するための第３設置溝７３と、フィールドレンズ２０を設置するための第４設置溝７４と、第１及び第２ダイクロイックミラー２６、２７をそれぞれ設置するための第５および第６設置溝７５、７６、そして三枚のフィールドミラー２８、２９a、２９bをそれぞれ設置するための第７または第９設置溝７７、７８、７８ｂが形成されている。
【００４９】
図１４および図１５は前記各設置溝７１〜７８bに光学系２を構成する前段スリット板２３、第２インテグレータレンズ２２、後段スリット板２４、偏光ビームスプリッタ２５、フィールドレンズ２０、第１及び第２ダイクロイックミラー２６、２７および三枚のフィールドミラー２８、２９a、２９bがそれぞれ設置されている状態を示す。
【００５０】
本発明の液晶プロジェクタ装置では図５に示す三枚の液晶パネル３３r、３３g、３３bとして、対角線の長さが０．６インチの液晶パネルと０．７インチの液晶パネルとを互換性をもって使用することが可能である。
【００５１】
図５に示す第１インテグレータレンズ２１と第２インテグレータレンズ２２との間隔は使用する液晶パネルのサイズに基づき変更する必要があるが、従来の液晶プロジェクタ装置においては、光学系保持ケースの両壁に光路に沿い、互いに離間した二つの溝部を形成し、該二つの溝部によって第１インテグレータレンズ２１および第２インテグレータレンズ２２をそれぞれ保持していた。このため、サイズの異なる多種多様の液晶パネルを使用可能とするためには、前記二つの溝部の間隔が異なる多種多様の光学系保持ケースを用意しなければならず、設計時間および製造コストの増加をもたらしていた。
【００５２】
これに対し、本発明の液晶プロジェクタ装置においては、第１インテグレータレンズ２１を保持するための二種類のレンズホルダ、即ち、図１８aに示す０．６インチ用レンズホルダ８aと、図１８bに示す０．７インチ用レンズホルダ８bとを互換性をもって取り付けられるようにした。このほか、０．６インチ用レンズホルダ８aと０．７インチ用レンズホルダ８bについて、両者は後述する位置決めピンの位置が異なる他以外、同一の構成を有しているため、ここでは０．６インチ用レンズホルダ８aに関してのみを説明し、０．７インチ用レンズホルダ８bについての説明は省略する。
【００５３】
図１６に示すように、０．６インチ用レンズホルダ８aは第１インテグレータレンズ２１を保持する板金製の矩形状の枠体８２と、該枠体８２から光学系保持ケース７の上面および下面に沿って延伸する一対の板金製の取り付け板８３a、８３bを備える。一対の取り付け板８３a、８３bにはそれぞれ、下方に向けて突出するように一対の位置決めピン８１、８１が設けられている。
【００５４】
図１４および図１５に示すように、光学系保持ケース７の上壁には前段スリット板２３と、第２インテグレータレンズ２２と、後段スリット板２４と、偏光ビームスプリッタ２５およびフィールドレンズ２０を挿入するための挿入口１８０が開設されている。
【００５５】
図１６に示すように、光学系保持ケース７の上壁には挿入口１８０を閉鎖するための天板１７９が取り付けられ、天板１７９には両レンズホルダ８a、８bを挿入するための開口１７１と、両レンズホルダ８a、８ｂを位置決めするための位置決め孔７８、７８とが開設されている。該天板１７９の位置決め孔７８、７８には、両レンズホルダ８a、８bの上側の取り付け板８３aに突設した位置決めピン８１、８１が嵌入される。
【００５６】
同様に、光学系保持ケース７の底壁にもまた、位置決め孔７８、７８が開設されており、該位置決め孔７８、７８には下側の取り付け板８３bに突設した位置決めピン８１、８１が嵌入される。
【００５７】
図１７に示すように、両レンズホルダ８a、８bは、上側の取り付け板８３aに突設された位置決めピン８１、８１と天板１７９の位置決め孔７８、７８が嵌合した状態で、それぞれネジ１８２、１８２によって天板１７９に締結される。この状態において、両レンズホルダ８a、８bの下側の取り付け板８３bに突設された位置決めピン８１、１８１を光学系保持ケース７底壁の位置決め孔７８、７８へと嵌入し、天板１７９をネジ１８１、１８１によって光学系保持ケース７の上壁に締結する。こうして、第１インテグレータレンズ２１は光路上の所定の位置に取り付けられる。
【００５８】
図１８（b）に示す０．７インチ用ホルダ８bの各位置決めピン８１、８１は、図１８（a）に示す０．６インチ用ホルダ８aの各位置決めピン８１、８１よりもさらに枠体８２から離間した位置に突設されており、これより、図１８（b）に示す０．７インチ用ホルダ８bの両位置決めピン８１、８１と枠体８２に取り付けられた第１インテグレータレンズ２１表面との間の間隔S３およびS４は、図１８（a）に示す０．６インチ用ホルダ８aの両位置決めピン８１、８１と枠体８２に取り付けられた第１インテグレータレンズ２１表面との間の間隔S１およびS２よりも大きくなる。この結果、０．７インチ用ホルダ８b取り付け時の第１インテグレータレンズ２１と第２インテグレータレンズ２２との間隔d２は、０．６インチ用ホルダ８a取り付け時の間隔d１よりも大きくなる。
【００５９】
上記の間隔d１は、０．６インチの液晶パネルに適した間隔に設定され、且つ上記の間隔d２は、０．７インチの液晶パネルに適した間隔に設定されている。
よって、本発明の液晶プロジェクタ装置に基づけば、第１インテグレータレンズ２１を保持するレンズホルダを液晶パネルのサイズに応じて交換するだけで、サイズの異なる多種多様の液晶パネルの使用が可能となり、この結果、多種多様の光学系保持ケースを用意する必要がなくなり、従来に比べ、設計時間の短縮および製造コストの削減を実現することができる。
【００６０】
冷却ユニット５
図４、図８及び図９に示すように映像合成装置３の下方には該映像合成装置３を冷却するための冷却ユニット５が載置されている。
従来の液晶プロジェクタ装置においては、冷却ユニットは映像合成装置を構成する赤色、緑色及び青色の液晶パネルに対し専用の冷却ファンを配備し、三台の冷却ファンにより三枚の液晶パネルを冷却していた。
【００６１】
このほか、図５に示すようにランプユニット４から三枚の液晶パネル３３b、３３g、３３rへと至る光路において、青色用液晶パネル３３bへ至る青色用光路の長さは緑色用液晶パネル３３gへ至る緑色用光路の長さと同じであり、赤色用液晶パネル３３rへ至る赤色用光路のみが長くなっている。三枚の液晶パネル３３b、３３g、３３rが受ける光について、その光路長が長くなるほど受ける光の強度が低下するため、赤色用液晶パネル３３rが受ける光の強度が最も小さいものとなる。
【００６２】
このとき、三枚の液晶パネル３３b、３３g、３３rの発熱量は各液晶パネル３３b、３３g３３rが受ける光の強度に応じて変動するため、青色用液晶パネル３３bの発熱量が最も大きいものとなり、赤色用液晶パネル３３rの発熱量が最も小さくなる。
【００６３】
そこで、本発明の液晶プロジェクタ装置においては光路長の差異によって生じる三枚の液晶パネル３３b、３３g、３３rの発熱量の差に注目し、従来、赤色、緑色及び青色の液晶パネルに対しそれぞれ配備されていた三台の冷却ファンのうち、発熱量が最も小さい赤色用液晶パネル３３r専用の冷却ファンを省略し、二台の冷却ファンを用いる冷却ユニット５を構成した。
【００６４】
図１９に示すように、冷却ユニット５は第１ファン５２と、第２ファン５３と、略T字状のハウジング５４とを含む。ハウジング５４の内部には両冷却ファン５２、５３から取り込まれた外気を、図９に示す三枚の液晶パネル３３b、３３g、３３rおよび図５に示す三枚の入射側遮光板３２b、３２g、３２rへと導くための流路が形成されている。さらに第１ファン５２と第２ファン５３は、その空気吹き出し方向が互いに交叉する状態で設置されている。
【００６５】
図２０および図２１に示すように、ハウジング５４は、上ハウジング半体５４aと下ハウジング半体５４bとを互いに接合し構成されており、前記ハウジング５４には、第１ファン５２が連結される第１取り付け口５７と第２ファン５３が連結される第２取り付け口５８とが、互いに９０度の異なる方向に向けて開設されている。
【００６６】
上ハウジング半体５４aの上壁には、図５に示す青色入射側遮光板３２aに向けて空気を吹き付けるための青色用第１吹き出し口５５bと、青色用液晶パネル３３bに向けて空気を吹き付けるための青色用第２吹き出し口５６bとが、第１取り付け口５７に隣接する位置に開設されており、図５に示す緑色入射側遮光板３２gに向けて空気を吹き付けるための緑色用第１吹き出し口５５gと、緑色用液晶パネル３３gに向けて空気を吹き付けるための緑色用第２吹き出し口５６gとが、第２取り付け口５８に隣接した位置に開設されている。
【００６７】
さらに、上ハウジング半体５４aの上壁には、図５に示す赤色入射側遮光板３２rに向けて空気を吹き付けるための赤色用第１吹き出し口５５rと、赤色用液晶パネル３３rに向けて空気を吹き付けるための赤色用第２吹き出し口５６rとが、第１取り付け口５７より導入された空気の流路に沿って第１取り付け口５７から離間した位置に開設されている。
【００６８】
一方、図２１および図２２に示すように、下ハウジング半体５４bには、第１取り付け口５７から直線状に延伸し、青色用第１吹き出し口５５bおよび青色用第２吹き出し口５６bへ到達する第１の上流側流路部１５１と、第２取り付け口５８から直線状に延伸し、緑色用第１吹き出し口５５gおよび緑色用第２吹き出し口５６gへ到達する第２の上流側流路部１５２と、第１および第２の上流側流路部１５１、１５２を通過した空気とが合流し、赤色用第１吹き出し口５５rおよび赤色用第２吹き出し口５６rへ到達する下流側流路部１５３が形成されている。
【００６９】
このほか、第１の上流側流路部１５１と下流側流路部１５３との間には、第１絞り部５９aが形成され、且つ第２の上流側流路部１５２と下流側流路部１５３との間には、第２絞り部５９bが形成されている。
【００７０】
よって、第１ファン５２からハウジング５４の第１取り付け口５７へ導入され、第１の上流側流路部１５１を通過し下流側流路部１５３へと流れる空気の量は、第１絞り部５９aに生じる流路抵抗により一定量に制限されるため、第１取り付け口５７から導入された空気のうち、一部の空気は第１絞り部５９aの上流側に開設された青色用第１吹き出し口５５bおよび青色用第２吹き出し口５６bから吹き出される。これより、青色入射側遮光板３２bおよび青色用液晶パネル３３bを十分に冷却することができる。
【００７１】
同様に、第２ファン５３からハウジング５４の第２取り付け口５８へ導入され、第２の上流側流路部１５２を通過し下流側流路部１５３へと流れる空気の量は、該第２絞り部５９bに生じる流路抵抗により一定量に制限されるため、第２取り付け口５８から導入された空気のうち、一部の空気は第２絞り部５９bの上流側に開設された緑色用第１吹き出し口５５gおよび緑色用第２吹き出し口５６gから吹き出される。これより、緑色入射側遮光板３２gおよび緑色液晶パネル３３gを十分に冷却することができる。
【００７２】
さらに、第１絞り部５９aを通過した一定量の空気は下流側流路部１５３を経由し、赤色用第１吹き出し口５５rおよび赤色用第２吹き出し口５６rへ向けて直線的に流れ、第２絞り部５９bを通過した一定量の空気は下流側流路部１５３を経由し、赤色用第１吹き出し口５５rおよび赤色用第２吹き出し口５６rへ向かう空気の流れに合流する。この結果、第１取り付け口５７から導入され、第１絞り部５９aを通過した一定量の空気と、第２取り付け口５８から導入され、第２絞り部５９bを通過した一定量の空気とが、下流側流路部１５３を経て赤色用第１吹き出し口５５rおよび赤色用第２吹き出し口５６rから吹き出されることになり、これより、赤色入射側遮光板３２rおよび赤色用液晶パネル３３rを十分に冷却することができる。
【００７３】
従来の液晶プロジェクタ装置において、冷却ユニットは赤色、緑色および青色の液晶パネルに対しそれぞれ専用に配備された三台の冷却ファンより構成されていたが、上記本発明の液晶プロジェクタ装置に基づけば、二台の冷却ファン５２、５３を用いることで三色分の入射側遮光板３２r、３２g、３２rおよび液晶パネル３３r、３３ｇ、３３bを十分に冷却することができる。こうして、省略された冷却ファン一台分の設置スペースを装置の小型化の実現に役立てるとともに、動作時の総消費電力における該冷却ファンの消費電力分を低減することが可能となった。
【００７４】
ランプユニット４
図２に示すように、ランプユニット４は光学系保持ケース７の右端部に収容されている。図２３に示すように、前記光学系保持ケース７の右端部の後壁１７４には吸気用ハウジング４５が取り付けられ、該吸気用ハウジング４５の端部にはランプユニット４を冷却するためのランプ冷却ファン４２が取り付けられている。
【００７５】
図２４および図２５に示すように、ランプユニット４はリフレクタ４６と、該リフレクタ４６の焦点位置に設けられたランプ４１と、ランプ４１の光の出射方向に沿って前方に配備されたレンズ４７と、矩形状の枠体から成るランプハウジング１４０とを備え、前記ランプリフレクタ４６の背面は光学系保持ケース７の四つの側壁１７４、１７６、１７７、１７８により包囲されている。
【００７６】
図２４に示すように、ランプユニット４はランプハウジング１４０の両側壁１４０a、１４０bと光学系保持ケース７の両側壁１７４、１７６とが互いに接した状態で、光学系保持ケース７の右端部内に収容されており、ランプハウジング１４０の後方側の側壁１４０aには空気導入孔１４１が開設されている。さらに、リフレクタ４６の後方側の側部４６aには、空気導入孔１４１に対応する位置に開口４９aが開設され、該開口４９に金属製のメッシュフィルタ４８aが設置されている。
【００７７】
一方、ランプハウジング１４０の前方側の側壁１４０bには、空気排気孔１４２が空気導入孔１４１と対向する位置に開設されている。さらに、リフレクタ４６の前方側の側部４６bには、開口４９bが空気排出孔１４２に対応する位置に開設されており、該開口４９に金属製のメッシュフィルタ４８bが設置されている。
【００７８】
図２３に示すように、光学系保持ケース７の右端部の後壁１７４にはランプ冷却ファン４２からの空気を光学系保持ケース７内に取り込むための第１取り込み孔４３と、第２取り込み孔４４aおよび第３取り込み孔４４bが開設されている。第１取り込み孔４３は上下方向（幅方向）に長い矩形状の開口形状を有し、第２取り込み穴４４aおよび第３取り込み孔４４bは、第１取り込み孔４３の概ね１／３の幅を有する矩形状として形成されている。両取り込み孔４４a、４４bの間には、光学系保持ケース７の後壁１７４の一部により、第１取り込み孔４３の概ね１／３の幅を有する遮風壁４４cが形成されている。
【００７９】
図２４に示すように、第１取り込み孔４３はランプハウジング１４０の空気導入孔１４１およびリフレクタ４６の開口４９aに向けて開口し、第２取り込み孔４４aおよび第３取り込み孔４４ｂは、リフレクタ４６の背面に向けて開口している。
【００８０】
図２３に示すように、光学系保持ケース７の右端部の右側壁１７５には排気穴１７０が開設されている。図２に示すように、排気装置６を構成する第１排気ファン６１は該排気孔１７０に面して配置され、前記排気孔１７０は、排気装置６が取り付けられた下ケース半体１２の右壁面に対し傾斜して形成されている。
【００８１】
図２に示すように、下ケース半体１２の後壁にはスリット状の背面吸気孔１９が開設され、図２３に示すランプ冷却ファン４２は、前記背面吸気孔１９に面して設置されている。
図２４に示すように、ランプ冷却ファン４２によりケーシング１の背面吸気孔１９から取り込まれた空気は、吸気用ハウジング４５内の流路を経て第１取り込み孔４３、第２取り込み孔４４aおよび第３取り込み孔４bからランプユニット４へ向けて導入される。
【００８２】
第１取り込み孔４３を通過した空気は、ランプハウジング１４０の空気導入孔１４１およびリフレクタ４６のメッシュフィルタ４８bを経てリフレクタ４６の内側に導入され、反対側のメッシュフィルタ４８bおよび空気排出孔１４２を経て、排気スリット１７３から光学系保持ケース７の外部へと排出される。排出された高温の空気は第１排気ファン６１によって吸い込まれ、ケーシング１の排気孔１４からケーシング１の外部へと排出される。
【００８３】
一方、図２３に示すように、第２取り込み孔４４aと第３取り込み孔４４bとの間には遮風壁４４cが設けられているため、第２取り込み孔４４aを通過した空気はリフレクタ４６の上部に沿って流れ、第３取り込み孔４４bを通過した空気はリフレクタ４６の下部に沿って流れる。そして、リフレクタ４６の上部および下部に沿って流れる空気は第１排気ファン６１によって吸い込まれ、ケーシング１の排気孔１４からケーシング１の外部へと排出される。
【００８４】
従来の液晶プロジェクタ装置においては、図２３に示す遮風壁４４cが設けられておらず、第２取り込み孔４４aと第３取り込み孔４４bとが連通した一つの大きな送風口から空気を送り込むことによりランプユニット４を冷却していた。それ故、十分な風量が与えられているにも拘わらず、ランプユニット４から発せられる熱によって、図２５に示す光学系保持ケース７の上壁１７７および上壁１７８が変質し、劣化するという問題が生じた。
【００８５】
よって、この原因を分析したところ、一つの送風口から送り込まれた空気の大部分はリフレクタ４６の背面に沿い、該リフレクタ４６の上下方向の中央部を流れてしまうため、該中央部においてはある程度の冷却効果が得られるが、光学系保持ケース７の上壁１７７および上壁１７８に近接するリフレクタ４の上部および下部領域においては、十分な冷却効果を得られないことが分かった。
【００８６】
そこで、本発明の液晶プロジェクタ装置においては、ランプ冷却ファン４２から排出された空気をリフレクタ４６の上部および下部エリアに向けて強制的に分流させることにより、上記の問題を解決した。こうして、リフレクタ４６の上部および下部エリアを十分に冷却することができ、この結果、従来の液晶プロジェクタ装置に比べて光学系保持ケース７の上壁１７７および上壁１７８の温度が低下するため、光学系保持ケース７の変質による劣化を防ぐことが可能となった。
【００８７】
排気装置６
図２および図３に示すように、下半ケース１２の右側壁には第１排気ファン６１および第２排気ファン６２を含む排気装置６が取り付けられている。第１排気ファン６１は、その吸気方向がランプユニット４に向けられて設置され、第２排気ファン６２は、その吸気方向が電源装置９に向けられて設置されている。両排気ファン６１、６２の排気方向は互いに交叉している。
【００８８】
図２６および図２７に示すように、排気装置６は合成樹脂製のファンホルダ６３と金属製のファンカバー６４の間は第１排気ファン６１および第２排気ファン６２とを挟持し、構成されている。ファンカバー６４の上面および下面には、ファンホルダ６３の上壁および下壁に開設された溝部６５に係合するフック部６６が突設されており、ファンカバー６４は、フック部６６がファンホルダ６３の溝部６５に係合した状態で、両側部においてネジ止めされている。
【００８９】
従来の液晶プロジェクタ装置においては、排気装置はランプユニット４に向けて設置された一台の排気ファンより構成されていた。このため、排気装置からはランプユニット４周囲の高温の空気が排出されることとなり、該排気に触れたユーザーに不快感をもたらしていた。
【００９０】
本発明の液晶プロジェクタ装置においては、排気装置を構成する第１排気ファン６１は図２に示すように、ランプユニット４に向けて設置されているため、該第１排気ファン６１にはランプユニット４から生じた高温の空気が取り込まれる。一方、第２排気ファン６２は、ランプユニット４から離れたエリアに設置された電源装置９に向けて設けられているため、前記第２排気ファン６２には、前記第１排気ファン６１に取り込まれる空気よりも低温の空気が取り込まれる。
【００９１】
このとき、両排気ファン６１、６２の排気方向が互いに交叉しているため、第１排気ファン６１から取り込まれた空気と第２排気ファン６２から取り込まれた空気とが混合されて排気孔１４から排出されることになり、この結果、従来のプロジェクタ装置に比べ、排気温度が低下する。
【００９２】
さらに、両排気ファン６１、６２を設置するため、ケーシング１の内部に必要となるスペースは、第１排気ファン６１の排気方向と第２排気ファンの排気方向との交差角度の増大に伴い、拡大する。そこで、排気温度の低下効果が最大となる時の第１排気ファン１の排気方向と第２排気ファン６２の排気方向との交差角度を求めるため、該交差角度をパラメータとし、排気温度の変化を測定する実験を行ったところ、前記交差角度が４０度〜６０度の範囲にある場合、排気温度の低下効果が最大となることを見出した。
【００９３】
即ち、前記交差角度が４０度よりも小さい場合には、両排気ファン６１、６２から取り込まれた空気が十分に混合されずに排出されることになり、この結果、排気装置６の第１排気ファン側６１からは高温の空気が排出され、第２排気ファン６２側からは低温の空気が排出される。
【００９４】
これに対し、前記交差角度が４０度〜６０度にある場合には、第１排気ファン６１から取り込まれた高温の空気と第２排気ファン６２から取り込まれた低温の空気とが十分に混合されることとなり、この結果、排気温度が低下する。しかしながら、前記交差角度が６０度よりも大きい場合には、交差角度が４０度〜６０度にある場合に比べ、交差角度の増大に対する排気温度の低下の度合いが小さくなる。また、交差角度が９０度に近づくと、第１排気ファン６１から取り込まれた高温の空気と第２排気ファン６２から取り込まれた低温の空気とが互いに衝突することとなり、このため、後方へ向かう空気のスムーズな流れが阻害され、十分な排気効果を得られない。
【００９５】
そこで、本実施例においては、第１排気ファン６１の排気方向と第２排気ファン６２の排気方向との交差角度を４０度に設定した。第１排気ファン６１と第２排気ファン６２は、それぞれケーシング１の右壁面に対し２０度の傾斜角度をもって取り付けられており、これより、排気装置の設置スペースの増大に伴う装置の大型化を最小限に抑えつつ、且つ排気温度の低下を実現することが可能となった。
【００９６】
本実施例における排気装置６の排気温度および騒音を測定したところ、従来に比べて両排気ファン６１、６２の回転数を落とした場合でも、排気温度が約１０℃低下し、排気装置６から発生する騒音を約２dB低減できることが明らかとなった。
さらに、本発明の液晶プロジェクタ装置はランプユニット４が発する光の強度を低下させ、消費電力の低減を可能とする低消費電力モードを有しており、該低消費電力モードの設定時には、前記第１及び第２排気ファン６１、６２の回転数を低下させることにより、排気装置６から発生する騒音のさらなる低減を実現することができた。
【００９７】
排気装置の排気温度を低下させるための改良構造
図２８と図２９に示すように、本発明の液晶プロジェクタ装置は下半ケース１２に、ランプユニットカバー１２０と、ランプユニット取り付け孔１１１と、下半ケース吸気孔１６、１７および下半ケース側部斜面吸気孔１８を設けている。このうち、ランプユニットカバー１２０の側部斜側面には、さらにランプユニットカバー吸気孔１２６が設けられている。
【００９８】
図３０、図３１および図３２を併せて参考すると、下半ケース吸気孔１６とランプユニットカバー吸気孔１２６とが第１排気ファン６１の真下に位置していること、さらに、下半ケース吸気孔１７と下半ケース側部斜面吸気孔１８が第２排気ファン６２に対応するように配置されていることが分かる。
【００９９】
ランプユニットカバー１２０の役割は、ランプユニット４の交換を便利にすることである。ランプユニット４を交換する必要がある場合、ランプユニットカバー１２０を開き、ランプユニット取り付け孔１１１から古いランプユニットを取り出し、新しいランプユニットを装入する。最後にランプユニットカバー１２０を閉めることで、交換作業は終了する。
【０１００】
以下、図３３の分解斜視図に基づき今回改良を行った構造を通じ、排気装置の排気温度を低下させる具体的原理を説明する。プロジェクタ装置の作動期間において、装置全体の外部の冷気Aはランプユニットカバー１２０のランプユニットカバー吸気孔１２６を経て装置全体内に入り、さらに下半ケース１２の下半ケース吸気孔１６を経て、第１排気ファン６１側部の開口口（図示せず）より取り込まれる。取り込まれた外部の冷気Aとランプユニット４から取り込まれた高温の気体Bは第１排気ファン６１によって混合された後、排出される。排出された気体Cは、第２排気ファン６２が排出した気体Dとさらに混合された後、装置全体より排出される。
【０１０１】
このとき、第１排気ファン６１に入り込んだ外部冷気Aが増加したため、第１排気ファン６１から取り込まれた気体と第２排気ファン６２から取り込まれた気体とが混合され、排気孔１４から排出される。この結果、従来のプロジェクタ装置と比べ、排気温度が低下する。
【０１０２】
さらに、プロジェクタ装置を軟らかい布が敷かれた台の上で使用する際、下半ケースの吸気孔が塞がれてしまうのを避けるため、ランプユニットカバー吸気孔１２６を側部斜面に開設した。
【０１０３】
また、吸気孔の数量もしくは開口面積の変更により、排気温度の調節を行うことも可能となった。上記吸気孔の形状はバリア形、アレイ形、それ以外の如何なる適した形状としても良い。このほか、下半ケース吸気孔１６および略梯状の板状構造の設置を省くことが可能であり、開口部（ランプユニット取り付け孔１１１の実質開口面積を増大させたもの）を設けるだけで、ランプユニットカバー吸気孔１２６によって吸い込まれた外気を直接、第１排気ファン６１に取り込むことができる。
【０１０４】
本実施例において注目すべき点は、第１排気ファン６１の側部は吸気孔を有しているが（図示せず）、第１排気ファン６１のみを使用し、下半ケース吸気孔１６とランプユニットカバー吸気孔１２６を通過してその側部吸気孔から吸い込みを行い、温度を下げている点である。さらに理解すべきは、それと同時に第２排気ファン６２はその側部から下半ケース吸気孔１７および下半ケース側部斜面吸気孔１８を通過し、吸い込みを行うファンとして設定することができる点である。
【０１０５】
下半ケース吸気孔１６、１７およびランプユニットカバー吸気孔１２６は、下半ケース１２上に第１排気ファン６１、第２排気ファン６２が排気を行うために有利となる、如何なる位置にも設置することができ、必ずしも第１排気ファン６１および第２排気ファン６２の真下に設置しなければならないということはない。
【０１０６】
本発明を採用しない場合、装置全体の排気温度は８３℃以上まで上昇する恐れがあるが、排気ファン底部に吸気孔を追加することによって、排気温度を８０℃以下に抑えることができる。
【０１０７】
さらに説明が必要なのは、本発明で使用されている“底部”“側部”“側部斜面”“真下”等の専門用語は、相対的・例示的であるため、プロジェクタ装置の異なる使用方法および設置方式によって変更することができる点である。
【０１０８】
本発明で紹介した排気装置の排気温度の低下に関する改良構造は、全体的な冷却構造を変えることなく、吸気構造を局部的に調整することによって、排気温度に対し改善を行うものであり、開発サイクルの短縮およびコストの抑制にも役立ち、且つベースモデル部品との通用も可能とする。
【図面の簡単な説明】
【０１０９】
【図１】本発明における液晶プロジェクタ装置の斜視図。
【図２】前記液晶プロジェクタ装置の上半ケースを取り外した状態を示す斜視図。
【図３】前記液晶プロジェクタ装置の上半ケースを取り外した状態を示す分解斜視図。
【図４】前記液晶プロジェクタ装置の分解斜視図。
【図５】前記液晶プロジェクタ装置の光学系を示す図。
【図６】後段スリット板および偏光ビームスプリッタの断面図。
【図７】前段スリット板、第２インテグレータレンズ、後段スリット板および偏光ビームスプリッタを示す斜視図。
【図８】光学系保持ケース、光合成装置および冷却ユニットの分解斜視図。
【図９】光合成装置および冷却ユニットの分解斜視図。
【図１０】入射側偏光板を示す正面図。
【図１１】ガラスの偏光板に対する面積比と偏光板温度との関係を表すグラフ。
【図１２】光学系保持ケースの斜視図。
【図１３】光学系保持ケースの平面図。
【図１４】光学部品を設置した光学系保持ケースから前段および後段スリット板を取り外した状態を示す分解斜視図。
【図１５】光学部品を設置した光学系保持ケースを示す斜視図。
【図１６】光学系保持ケースおよび第１インテグレータレンズホルダを示す分解斜視図。
【図１７】光学系保持ケースに第１インテグレータレンズホルダを取り付ける方法を説明するための分解斜視図。
【図１８】（a）及び（b）は０．６インチ用レンズホルダを光学系保持ケースに取り付けた状態、および０．７インチ用レンズホルダを光学系保持ケースに取り付けた状態を示す断面図。
【図１９】冷却ユニットの平面図。
【図２０】冷却ユニットのハウジングの斜視図。
【図２１】前記ハウジングの分解斜視図。
【図２２】前記ハウジングを構成する下ハウジング半体の平面図。
【図２３】光学系保持ケースに対するランプ冷却ファンの取り付け状態を示す分解斜視図。
【図２４】ランプユニットを水平方向から見た断面図。
【図２５】ランプユニットを鉛直方向から見た断面図。
【図２６】排気装置の斜視図。
【図２７】排気装置からファンカバーを取り外した状態を示す斜視図。
【図２８】本発明における液晶プロジェクタ装置の別の斜視図。
【図２９】本発明における液晶プロジェクタ装置の別の分解斜視図。
【図３０】下半ケースの平面図。
【図３１】ランプユニットカバーの斜視図。
【図３２】前記液晶プロジェクタ装置の上半ケース、および排気装置を取り外した状態を示す斜視図。
【図３３】前記液晶プロジェクタ装置の上半ケースを取り外した状態を示す分解斜視図であり、矢印を用いて気体の流動状況を大まかに表示したところの図。
【符号の説明】
【０１１０】
１  ケーシング
４  ランプユニット
６  排気装置
１２  下半ケース
１１１  ランプユニット取り付け孔
１２０  ランプユニットカバー
１６、１７  下半ケース吸気孔
１８  下半ケース側部斜面吸気孔
１２６  ランプユニットカバー吸気孔
６１  第１排気ファン
６２  第２排気ファン
【図１】
2008052272.tif 000004
【図２】
2008052272.tif 000005
【図３】
2008052272.tif 000006
【図４】
2008052272.tif 000007
【図５】
2008052272.tif 000008
【図６】
2008052272.tif 000009
【図７】
2008052272.tif 000010
【図８】
2008052272.tif 000011
【図９】
2008052272.tif 000012
【図１０】
2008052272.tif 000013
【図１１】
2008052272.tif 000014
【図１２】
2008052272.tif 000015
【図１３】
2008052272.tif 000016
【図１４】
2008052272.tif 000017
【図１５】
2008052272.tif 000018
【図１６】
2008052272.tif 000019
【図１７】
2008052272.tif 000020
【図１８】
2008052272.tif 000021
【図１９】
2008052272.tif 000022
【図２０】
2008052272.tif 000023
【図２１】
2008052272.tif 000024
【図２２】
2008052272.tif 000025
【図２３】
2008052272.tif 000026
【図２４】
2008052272.tif 000027
【図２５】
2008052272.tif 000028
【図２６】
2008052272.tif 000029
【図２７】
2008052272.tif 000030
【図２８】
2008052272.tif 000031
【図２９】
2008052272.tif 000032
【図３０】
2008052272.tif 000033
【図３１】
2008052272.tif 000034
【図３２】
2008052272.tif 000035
【図３３】
2008052272.tif 000036